(57)【要約】  本発明は、事故センサであって、固定手段が設けられており、該固定手段が、車両における壁への事故センサの固定を可能にしている形式のものに関する。本発明によれば、事故センサが、少なくとも１つの孔を有しており、該孔が、ピンを、弾性的に形成されたスリーブ内に固定手段として有しており、事故センサが、スリーブを備えたピンによって壁に緊締により固定されているように、スリーブを備えたピンが形成されていることが提案される。
2010519555.tif 000002
【特許請求の範囲】
【請求項１】
事故センサであって、固定手段が設けられており、該固定手段が、車両における壁への事故センサの固定を可能にしている形式のものにおいて、事故センサが、少なくとも１つの孔を有しており、該孔が、ピンを、弾性的に形成されたスリーブ内に固定手段として有しており、事故センサが、スリーブを備えたピンによって壁に緊締により固定されているように、スリーブを備えたピンが形成されていることを特徴とする、事故センサ。
【請求項２】
ピンが、スリーブ内への押込み時に該スリーブの拡幅および／または拡開を生ぜしめるように形成されており、該拡幅および／または該拡開が、緊締を生ぜしめるようになっている、請求項１記載の事故センサ。
【請求項３】
ピンが、緊締のための少なくとも１つの第１の区分と、該第１の区分よりも細い後続の第２の区分とを有している、請求項１または２記載の事故センサ。
【請求項４】
ピンが、少なくとも１つの第３の区分を有しており、該第３の区分が、少なくとも１つの掛かりを有している、請求項３記載の事故センサ。
【請求項５】
第１の区分と第３の区分とが、ほぼ同様である、請求項３または４記載の事故センサ。
【請求項６】
スリーブが、ピンの押込み時に長さに応じて膨張するようになっている、請求項１から５までのいずれか１項記載の事故センサ。
【請求項７】
スリーブが、少なくとも１つのリブおよび／または少なくとも１つの係止突起を有している、請求項１から６までのいずれか１項記載の事故センサ。
【請求項８】
ピンが、押込み時にスリーブを破断するように形成されており、これによって、該スリーブが、拡開するかまたはピンに背後から係合するようになっている、請求項１から７までのいずれか１項記載の事故センサ。
【請求項９】
スリーブを備えたピンが、事故センサの固定のための終端位置に押し進められた場合に初めて、事故センサが、ケーブルの接続のためのコネクタを開放するように、事故センサが形成されている、請求項１から８までのいずれか１項記載の事故センサ。
【発明の詳細な説明】
【技術分野】
【０００１】
背景技術
本発明は、事故センサであって、固定手段が設けられており、該固定手段が、車両における壁への事故センサの固定を可能にしている形式のものに関する。
【０００２】
ドイツ連邦共和国特許出願公開第１９９２３９８５号明細書に基づき、センサアッセンブリが公知である。この公知のセンサアッセンブリでは、側面衝突センシングのために使用される空気圧センサのハウジングが、固定手段、たとえばねじを介して車両における壁に固定される。また、ドイツ連邦共和国特許出願公開第１９１０６３１１号明細書にも、空気圧センサが壁において、ドアにおける湿室と乾室との間の分離壁に組み付けられることが教示されている。この場合、圧力通路が湿室内に突入しているのに対して、空気圧センサは自体乾室内に位置している。また、ハウジング内部を圧力センサに対してシーリングしかつハウジングを分離壁に対してもシーリングするシールクッションが設けられている。
【０００３】
発明の開示
本発明の事故センサによれば、事故センサが、少なくとも１つの孔を有しており、該孔が、ピンを、弾性的に形成されたスリーブ内に固定手段として有しており、事故センサが、スリーブを備えたピンによって壁に緊締により固定されているように、スリーブを備えたピンが形成されている。
【０００４】
本発明の事故センサの有利な構成によれば、ピンが、スリーブ内への押込み時に該スリーブの拡幅および／または拡開を生ぜしめるように形成されており、該拡幅および／または該拡開が、緊締を生ぜしめるようになっている。
【０００５】
本発明の事故センサの有利な構成によれば、ピンが、緊締のための少なくとも１つの第１の区分と、該第１の区分よりも細い後続の第２の区分とを有している。
【０００６】
本発明の事故センサの有利な構成によれば、ピンが、少なくとも１つの第３の区分を有しており、該第３の区分が、少なくとも１つの掛かりを有している。
【０００７】
本発明の事故センサの有利な構成によれば、第１の区分と第３の区分とが、ほぼ同様である。
【０００８】
本発明の事故センサの有利な構成によれば、スリーブが、ピンの押込み時に長さに応じて膨張するようになっている。
【０００９】
本発明の事故センサの有利な構成によれば、スリーブが、少なくとも１つのリブおよび／または少なくとも１つの係止突起を有している。
【００１０】
本発明の事故センサの有利な構成によれば、ピンが、押込み時にスリーブを破断するように形成されており、これによって、該スリーブが、拡開するかまたはピンに背後から係合するようになっている。
【００１１】
本発明の事故センサの有利な構成によれば、スリーブを備えたピンが、事故センサの固定のための終端位置に押し進められた場合に初めて、事故センサが、ケーブルの接続のためのコネクタを開放するように、事故センサが形成されている。
【００１２】
独立請求項の特徴を備えた本発明による事故センサは従来のものに比べて、この事故センサが、少なくとも１つの孔を有しており、この孔が、ピンを、弾性的に形成されたスリーブ内に固定手段として有しているという利点を有している。ピンはスリーブと共に、事故センサがスリーブ内のピンによって壁に緊締により固定されるように形成されている。これによって、車両における壁、たとえばドア金属薄板への事故センサの簡単な組付けが可能となる。この場合、組付けのための工具は不要となる。特にこの本発明による固定法によって、片手組付けが可能となる。なぜならば、工具を保持するための他方の手が不要となるからである。スリーブを備えたピンは、同時に、壁に設けられた孔のシーリング部材として働き、これによって、事故センサが位置する乾室が湿室から能率的にシーリングされる。この簡単な方法によって、センサにおけるブシュ、たとえば公知先行技術において公知であるようなねじ締結技術における特に機械的な対応支承部材を省略することが可能となる。スリーブの弾性的な成形によって、ドア金属薄板へ取付け時の固定力および機械的な硬さひいては共振特性にも影響を与えることができるかもしくは固定力および機械的な硬さひいては共振特性を規定することができる。この場合、特に高周波の機械的な共振を能率的に減衰することができる。本発明による事故センサはその構成によってコスト節約のために著しく役立つ。
【００１３】
事故センサは、本発明によれば、加速度センサ、固体伝播音センサまたは空気圧センサである。また、環境認識センサを本発明による固定コンセプトによって組み付けることも可能である。このような環境認識センサには、ビデオセンサ、レーダセンサ、超音波センサまたはライダセンサが属している。
【００１４】
壁は、有利にはドア金属薄板である。このドア金属薄板は車両ドアにおいて湿室を乾室から分離している。車両ドアは、通常、車両の窓を下方運動させることができる側に湿室を有している。
【００１５】
ピンは、通常、金属で形成されているものの、プラスチックから製作されてもよい。ピンはその成形部によって緊締のために働く。この場合、この成形部はスリーブによって拡径を招き、これによって、スリーブを備えたピンが、壁に設けられた孔を通して案内される場合に、これが、事故センサの固定に繋がる。スリーブは弾性的に成形されており、これによって、スリーブが、一般的に、ゴム状のプラスチックまたは別の軟質のプラスチック、たとえばシリコーンから形成されている。ピンは、納品状態で、弾性的なスリーブ内に予め組み付けられていてよい。詳細な設計に関連して、固定は、たとえば、まず、スリーブが初期状態で、たとえば予め組み付けられたピンと共に固定孔に押し通され、その後、ピンが弾性的なスリーブ内に終端位置にまで押圧されることによって行われる。このことは、スリーブの拡径ひいてはセンサの緊締を招く。この緊締によって、ピンを備えたスリーブが、壁に設けられた孔に押し通された場合に、ピンを備えたスリーブひいてはセンサ自体がもはや簡単に落下せず、高い力でしか引き抜くことができないようになっている。
【００１６】
有利な構成は従属請求項から明らかである。
【００１７】
ピンが、スリーブ内への押込み時にこのスリーブの拡幅および／または拡開を生ぜしめるように形成されており、この場合、この拡幅および／または拡開が最終的に緊締を生ぜしめると特に有利である。これは、ピンが、弾性的であるスリーブによって、壁に設けられた孔を通して案内可能でしかないことを意味している。このことは、スリーブを貫通案内時に圧縮するための力でしか行うことができない。この場合、スリーブは貫通案内後に再び弛緩され、これによって、引戻しに対する抵抗を形成している。この抵抗は拡幅、すなわち、拡径によって生ぜしめることができるかまたは拡開、たとえばピンがスリーブを破断し、これによって、このスリーブが先端部で拡幅することによって生ぜしめることができる。
【００１８】
さらに、ピンが、緊締のための少なくとも１つの第１の区分と、この第１の区分よりも細い後続の第２の区分とを有していると有利である。これによって、１つの区分がスリーブを拡径または拡開に導き、その後、後続の区分が再び拡径または拡開に導かないことが簡単に達成される。これによって、本発明による固定コンセプトの取扱い可能性が著しく簡単となる。
【００１９】
ピンは、有利には、第３の区分を有していてもよく、この場合、この第３の区分が少なくとも１つの掛かりを有している。この掛かりによって、ピンがスリーブからもはや容易に引出し不能となる。ピンの、掛かりに相当しないものの、にもかかわらず、引出しに対する抵抗を成す別の幾何学的な成形部も本発明では可能である。第３の区分は第１の区分とほぼ同様であってよい。なぜならば、拡径部が同時に掛かりとして形成されていてもよいからである。
【００２０】
有利には、ピンは、スリーブ内に押し込まれる場合に、このスリーブを長さに応じて膨張させる。このことは、ドア金属薄板に対するスリーブの良好なシーリングに繋がる。なぜならば、スリーブ内へのピンの押込み時にスリーブが長さに応じて膨張するからである。この場合、十分に応力が形成されている場合には、スリーブの狭幅箇所がピンにわたって滑動し、スリーブの直径が拡径されると同時に、スリーブを膨張させる力が減少し、これによって、ピンの栓が、シールしたい孔に引き込まれ、圧着される。これによって、妥当な設計時にピンのシール作用が確保されるかもしくは改善される。
【００２１】
有利には、スリーブが、少なくとも１つのリブまたは少なくとも１つの係止突起を有している。このリブまたは係止突起は、ドア壁への貫通案内後のスリーブの滑戻しを阻止する。
【００２２】
ピンは、上述したように、押込み時にスリーブを破断するように形成されていてよく、これによって、スリーブが拡開されるかまたはピンに背後から係合し、したがって、スリーブからのピンの押戻しも阻止する。拡開は、有効な緊締作用に繋がる。
【００２３】
事故センサは、スリーブを備えたピンが、事故センサの固定のための終端位置に押し進められた場合に初めて、事故センサが、ケーブルの接続のためのコネクタを開放するように形成されている。終端位置とは、ピンもしくはスリーブが事故センサに載置していることを意味しており、これによって、緊締作用が最適に事故センサを壁に保持している。スリーブを備えたピンがまだ事故センサに載置していない場合には、スリーブを備えたピンが、事故センサへのケーブルの取付けのための接近を遮断している。これによって、付加的な防護が可能となり、これによって、事故センサが安全に組付け工によって組み付けられる。
【図面の簡単な説明】
【００２４】
【図１】本発明による事故センサの組付け位置を示す図である。
【図２ａ】組付け位置を示す図である。
【図２ｂ】ピンがスリーブ内にどのように導入されるのかを示す図である。
【図２ｃ】ピンがスリーブ内にどのように導入されるのかを示す図である。
【図３ａ】ピン・スリーブシステムの明示のための第１の例を示す図である。
【図３ｂ】ピン・スリーブシステムの明示のための第２の例を示す図である。
【図３ｃ】ピン・スリーブシステムの明示のための第３の例を示す図である。
【図４ａ】ピンがスリーブ内にどのように導入されるのかという別の例を示す図である。
【図４ｂ】ピンがスリーブ内にどのように導入されるのかという別の例を示す図である。
【図４ｃ】ピンがスリーブ内にどのように導入されるのかという別の例を示す図である。
【図５ａ】事故センサの固定時のスリーブの拡開を示す図である。
【図５ｂ】事故センサの固定時のスリーブの拡開を示す図である。
【図５ｃ】事故センサの固定時のスリーブの拡開を示す図である。
【００２５】
実施例を図面に示し、以下に詳しく説明する。
【００２６】
本発明によれば、事故センサをピンとスリーブとによって車両における壁に固定することが提案される。ピンとスリーブとは、事故センサに設けられた孔を通して案内される。この場合、スリーブを備えたピンが、壁に設けられた孔を通して案内され、緊締作用によって事故センサを保持する。これは、組付け位置をより正確に規定するために、留め部材またはねじによって補填されてよい。より正確な組付け位置は、スリーブを備えた複数のピンによって巧妙に規定されてもよい。この場合、ピンが、壁への固定前にすでにスリーブ内に導入されているかまたはスリーブが、すでに壁に設けられた孔を通して案内された後、壁への固定のために初めてスリーブ内に導入され、これによって、緊締作用をスリーブの拡径部によって、壁に設けられた孔の背後に生ぜしめることが可能となる。
【００２７】
図１には、空気圧センサ１０が車両ドア１１に本発明による固定コンセプトによってどのように組み付けられているのかが概略的に示してある。壁１１に設けられた上側の開口を通して、空気圧センサ１０の圧力通路１２が導入され、これによって、湿室内で空気圧を測定することができる。壁１１の第２の開口を通して、弾性的なスリーブ１６を備えたピン１５が案内される。この場合、このピン１５は、壁に設けられた開口を通して案内した後、スリーブ１６に拡径部１４を形成し、したがって、センサ１０を壁１１に固持する緊締作用を生ぜしめる。組付け状態では、スリーブ１６を備えたピン１５が、空気圧センサ１０に設けられたコネクタまたはソケット１３を開放している。このソケット１３には、信号案内ケーブルを接続することができる。これによって、スリーブ１６を備えたピン１５が正確に組み付けられている場合にだけ、空気圧センサ１０に対する電気的な接続部が開放されることにより、誤組付けに対する能率的な防護が生ぜしめられる。
【００２８】
図２ａには、スリーブ２４とピン２０とによる空気圧センサ２３の組付け状態が新たに示してある。この場合、スリーブ２４が、壁に設けられた開口の後方に拡径部２２を有している。スリーブは、ここでは、符号２４で示してある。このスリーブ２４は拡径部２１を有している。この拡径部２１は空気圧センサ２３に背後から係合していて、したがって、ピン２０による圧着圧によって固定状態に空気圧センサを保持している。この場合、スリーブ２４は硬さに関して相応に調整することができ、これによって、相応の力が受け止められる。
【００２９】
図２ｂには、ピン２０がスリーブ２４内にどのように部分的に導入されるのかが示してある。この場合、第１の区分２５が狭幅箇所２２を通して案内されている。この場合、ピン２０の先端部２５には、再び縮径された区分が続いている。この区分には、狭幅箇所２２の拡幅を招くピンに設けられた拡径部２６が続いている。この拡径部２６には、引き続き、縮径部２７が続いていて、引き続き、拡径部２８が続いている。この場合、この拡径部２８も同じく掛かりの機能を有している。この拡径部２８には、不変の太さを備えた区分２９が端部にまで続いている。
【００３０】
いま、図２ｃには、ピン２０がどのように引き続き移動させられていて、その拡径部２６，２８によって狭幅箇所２２でのスリーブ２４の拡幅をどのように招いているのかが示してある。ここでは、同じエレメントに同じ符号が付してある。
【００３１】
図３ａ〜図３ｃには、弾性的なスリーブと剛性的なロックピンとから成る、一体化された掛かりを備えた片手組付けピンに対する実現可能性が示してある。図３ａには、上図において、ピンがその先端部３５で狭幅箇所３３を通してどのように案内されるのかが示してある。先端部３５はまだ拡幅を招いていない。その後、掛かりを備えた拡径部３４が、下図において、狭幅箇所３３の拡幅を招く。拡径部３４には、再び均一な円筒部３７がピン３０の端部にまで続いている。拡径部３４の間にも、比較的細い区分３６が設けられている。ここでも、同じエレメントに同じ符号が付してある。
【００３２】
図３ｂには、先端部３５がより深くスリーブ内に侵入している別の構成が示してある。これに対して、図３ｃには、スリーブ３１を貫く破断部が示してある。この場合、区分３６によってピン３０の先端部３５が背後から係合され、したがって、ピンの押戻しが有効に阻止される。
【００３３】
これによって、図３ａには、ピンのカバーを備えた簡単な構成が示してある。図３ｂには、スリーブに対する製造最適化された解決手段が示してあり、図３ｃには、付加的な機械的な抵抗を備えた解決手段が示してある。
【００３４】
図４ａ〜図４ｃには、ピンのシール機能の実現が示してある。ピンは符号４０で一貫して示してあり、スリーブは符号４１で示してあり、壁に背後から係合する区分は符号４７で示してあり、ピンの拡径部は符号４５で示してあり、スリーブの狭幅箇所は符号４３で示してあり、ピンの先端部は符号４２で示してある。ピンの拡径部４５の後方の区分は符号４６で示してある。スリーブ４１がピンにわたって滑動しかつ拡径部が狭幅箇所４３に形成される場合には、スリーブにおける膨張が緩和し、拡径部が、車両金属薄板に設けられた固定孔内に引き込まれる。これによって、金属薄板に設けられた孔が、組み合わされたピンとスリーブとによって確実にシーリングされる。ここでも、同じ符号が同じエレメントを示している。矢印によって、力方向が示してある。
【００３５】
図５ａ〜図５ｃには、本発明による固定コンセプトの種々異なる設計可能性が示してある。図５ａによれば、壁５１へのスリーブ５３を備えたピン５０の固定状態が示してある。この場合、圧力センサ５２が特徴付けられている。スリーブの先端部５５と、以前の狭幅箇所５４に設けられた拡径部とが図示してある。図５ｂに見ることができるように、拡径部５４が固定孔内に位置している。この場合、固定は、主として、摩擦力と、僅かにスリーブにおける引張り力とによって行われる。図５ｃには、スリーブ５３の完全な拡開が示してある。これは、拡開エレメント５５によって図示してある。これによって、ピン５０が事故センサ５２を壁５１に保持している。
【符号の説明】
【００３６】
１０  空気圧センサ
１１  壁
１２  圧力通路
１３  ソケット
１４  拡径部
１５  ピン
１６  スリーブ
２０  ピン
２１  拡径部
２２  拡径部
２３  空気圧センサ
２４  スリーブ
２５  先端部
２６  拡径部
２７  縮径部
２８  拡径部
２９  区分
３０  ピン
３１  スリーブ
３３  狭幅箇所
３４  拡径部
３５  先端部
３６  区分
３７  円筒部
４０  ピン
４１  スリーブ
４２  先端部
４３  狭幅箇所
４５  拡径部
４６  区分
４７  区分
５０  ピン
５１  壁
５２  圧力センサ
５３  スリーブ
５４  拡径部
５５  拡開エレメント
【図１】
2010519555.tif 000003
【図２ａ】
2010519555.tif 000004
【図２ｂ】
2010519555.tif 000005
【図２ｃ】
2010519555.tif 000006
【図３ａ】
2010519555.tif 000007
【図３ｂ】
2010519555.tif 000008
【図３ｃ】
2010519555.tif 000009
【図４ａ】
2010519555.tif 000010
【図４ｂ】
2010519555.tif 000011
【図４ｃ】
2010519555.tif 000012
【図５ａ】
2010519555.tif 000013
【図５ｂ】
2010519555.tif 000014
【図５ｃ】
2010519555.tif 000015
【国際調査報告】
2010519555.tif 000016
2010519555.tif 000017
2010519555.tif 000018
2010519555.tif 000019
2010519555.tif 000020
2010519555.tif 000021